(57)【要約】  【課題】  未調理品にマイクロ波を照射させて、加熱調理した上で販売提供する自動販売機において、レンジの出し入れ口からのマイクロ波の漏洩を抑止する。  【解決手段】  販売機１内の貯留装置２から、ポップコーンの未調理商品Ａを、１個づつ取出して、マイクロ波を照射するレンジ５内に送る。レンジ５の出し入れ用開口１１は１箇所である。レンジ５の扉６は、スライド移行方式１４，１５で開閉する。レンジ５の外壁面に設けたラック１８に、レンジ扉６に連結したギヤ１７が噛合し、ギヤ１７がモータ１９で駆動されて、レンジ扉６は開閉作動する。レンジ５内に設けた排出枠体７の枠内で加熱調理された商品Ｂは、排出枠体７の移動で、レンジ５外に出され、取出し部８に送られる。【選択図】  図１
2010244154.tif 000002
【特許請求の範囲】
【請求項１】
販売機内の貯留装置から未調理商品が１個づつ送り出されて、レンジに送られ、マイクロ波が照射されて加熱調理されて、調理済商品に加工された上で、販売提供される自動販売機において、
レンジの出し入れ用の開口が１箇所であり、この開口のレンジ扉はスライド方式で開閉され、レンジに設けられたラックに、レンジ扉に連係されたギヤが噛合しており、このギヤをモータで回転させて、レンジ扉が開閉作動される、加熱調理型の自動販売機。
【請求項２】
レンジにスライド移行自在に設けられた扉支持体に、レンジ扉がバネを介して取付けられていて、閉扉時のレンジ扉と、レンジ開口との接触押圧力がバネ圧によって調整される、請求項１記載の加熱調理型の自動販売機。
【請求項３】
未調理商品が、販売機内の上段部に設けられた複数の貯留ケースに収容されていて、各貯留ケースから送り出された未調理商品は、１本のベルトコンベヤによって搬送される、請求項１記載の加熱調理型の自動販売機。
【請求項４】
ベルトコンベヤの端から送り出された未調理商品は、自重によって、案内板に沿って、レンジまで誘導案内される、請求項３記載の加熱調理型の自動販売機。
【請求項５】
レンジ扉の内面側の壁面に、案内片が傾斜状に設けられていて、未調理商品のレンジへの投入時には、レンジ扉は僅かに開いた状態に位置し、落下してきた未調理商品は、この案内片によって、レンジの内方に誘導案内される、請求項１記載の加熱調理型の自動販売機。
【請求項６】
枠だけからなり、かつ、枠壁面が逆円錐台状になった排出枠体が、レンジ内に設けられていて、レンジ内に送られてきた未調理商品は、この排出枠体によって、レンジの中央に案内され、また、排出枠体には枠支持体が取付けられ、かつ、枠支持体は軸によって回動自在にレンジに取付けられていて、駆動モータの回動によって、排出枠体を水平に回動移行させると、調理済商品を伴ってレンジ外に出て、調理済商品は排出枠体の底面の空所から、取出し部に排出されようになる、請求項１記載の加熱調理型の自動販売機。
【請求項７】
販売機内の貯留装置から未調理商品が１個づつ送り出されて、レンジに送られ、マイクロ波が照射されて加熱調理されて、調理済商品に加工された上で、販売提供される自動販売機において、
貯留装置には、直立状で筒型の貯留ケースが複数並べて設けられ、貯留ケースには、未調理商品が積み重ね状態で収容され、かつ、最上面には錘による押圧力が付与されており、貯留ケースの下端に付設された送出装置によって、未調理商品が最下段のものから１個づつ送り出される、加熱調理型自動販売機の未調理商品貯留装置。
【請求項８】
貯留ケースの内面に、滑り抵抗材が貼付けられていて、貯留ケース内で水平に収容された未調理商品の、シール部の側の滑り落ちを抑制し、貯留ケース内の未調理商品が常に水平を保つようになっている、請求項７記載の加熱調理型自動販売機の未調理商品貯留装置。
【請求項９】
貯留ケースの底面に、送出コンベヤが設けられていて、最下段の未調理商品が送出コンベヤによって、水平方向に送られ、貯留ケースの下端側面の出口から送出される、請求項７記載の加熱調理型自動販売機の未調理商品貯留装置。
【発明の詳細な説明】
【技術分野】
【０００１】
この発明は、ポップコーン自動販売機などのように、未調理の商品素材から、販売時に加熱調理して商品提供する自動販売機、及び、この自動販売機用の未調理商品貯留装置の改良に関する。
【背景技術】
【０００２】
従来、この種の自動販売機は、種々の形態のものが、多数提案されており、また、ポップコーン自動販売機についても、幾つかの提案がある。この既提案のポップコーン自動販売機は、未調理のコーンと、調味料とを予め袋に封入した未調理の商品を、販売機内に多数、貯留しておき、顧客からの購入指示があると、この未調理商品を一個づつ取出して、販売機に設けられているレンジに送り込み、マイクロ波を照射させて、加熱調理を加え、ポップコーンにして顧客に提供するものである。
【０００３】
また、この未調理商品を貯留しておく装置についても、本件発明者によって、既に提案されている。（特許文献１参照）  この貯留装置では、未調理商品を収容する筒型の貯留ケースは、販売機内に傾斜状に配され、かつ、上下に複数段、設けられている。そして、ここから取出された商品は、機内エレベータで機内上部まで一旦運び上げ、ここからは商品の自重を主にして、電子レンジに送込んで加熱調理し、商品取出し口まで送るという方式である。
【特許文献１】特開２００１−２０２５５８号公報
【発明の開示】
【発明が解決しようとする課題】
【０００４】
ところが、前記従来のポップコーン自動販売機には、種々の欠点があって、実用上、決して充分なものとはいえない。例えば、レンジの出し入れ口に設けられている扉が、ヒンジ式の開閉機構であるため、閉扉時における、レンジ本体との間の密閉力が不充分で、レンジ本体と扉との隙間からマイクロ波が、漏れ出るおそれがある。その上、従来機では一般に、入口と出口とがそれぞれ別個に設けられているため、マイクロ波の漏洩が多くなるという問題がある。
更に、従来機では、貯留部から取出された未調理商品は、エレベータで機内の上部まで搬送する方式を採っているので、装置全体が大掛かりになる。その上、レンジに搬入された未調理商品は、誘導案内力が不充分なため、常にレンジの中央部に送り込まれる訳ではなく、マイクロ波照射時の受波量が不充分となって、調理が不完全になったり、或いは、完全に照射位置外に出てしまって、全く調理できなかったりする。また、調理後のレンジからの排出作動も不確実で、レンジ内に残ったままになることもある。
【０００５】
本発明は、以上の問題を解消して、レンジの出入り口を１箇所にし、かつ、レンジ扉の閉扉時の密閉力を高め、マイクロ波の漏洩を極力抑止した、加熱調理型の自動販売機を提供するにある。更に、本発明は、レンジへの、未調理商品の搬入を、正確な位置に間違いなくでき、また、調理済商品の排出が適格にできて、正しく調理された調理済商品を、高精度で販売できる、加熱調理型の自動販売機を提供するにある。また、本発明は、貯留時の容積効率がよく、かつ、確実に取出すことのできる、未調理商品貯留装置を提供するにある。
【課題を解決するための手段】
【０００６】
本発明の加熱調理型の自動販売機の技術的手段は、販売機内の貯留装置から未調理商品が１個づつ送り出されて、レンジに送られ、マイクロ波が照射されて加熱調理されて、調理済商品に加工された上で、販売提供される自動販売機において、レンジの出し入れ用の開口が１箇所であり、この開口のレンジ扉はスライド方式で開閉され、レンジに設けられたラックに、レンジ扉に連係されたギヤが噛合しており、このギヤをモータで回転させて、レンジ扉を開閉作動するようにしたことにある。
【０００７】
また、レンジにスライド移行自在に設けられた扉支持体に、レンジ扉がバネを介して取付けられていて、閉扉時のレンジ扉と、レンジ開口との接触押圧力がバネ圧によって調整されるようにしてもよい。更に、未調理商品が、販売機内の上段部に設けられた複数の貯留ケースに収容されていて、各貯留ケースから送り出された未調理商品は、１本のベルトコンベヤによって搬送されるようにしてもよい。また、ベルトコンベヤの端から送り出された未調理商品は、自重によって、案内板に沿って、レンジまで誘導案内されるようにしてもよい。更に、レンジ扉の内面側の壁面に、案内片が傾斜状に設けられていて、未調理商品のレンジへの投入時には、レンジ扉は僅かに開いた状態に位置し、落下してきた未調理商品は、この案内片によって、レンジの内方に誘導案内されるようにしてもよい。また、枠だけからなり、かつ、枠壁面が逆円錐台状になった排出枠体が、レンジ内に設けられていて、レンジ内に送られてきた未調理商品は、この排出枠体によって、レンジの中央に案内され、また、排出枠体には枠支持体が取付けられ、かつ、枠支持体は軸によって回動自在にレンジに取付けられていて、駆動モータの回動によって、排出枠体を水平に回動移行させると、調理済商品を伴ってレンジ外に出て、調理済商品は排出枠体の底面の空所から、取出し部に排出されようにしてもよい。
【０００８】
また本発明の未調理商品貯留装置の技術的手段は、販売機内の貯留装置から未調理商品が１個づつ送り出されて、レンジに送られ、マイクロ波が照射されて加熱調理されて、調理済商品に加工された上で、販売提供される自動販売機において、貯留装置には、直立状で筒型の貯留ケースが複数並べて設けられ、貯留ケースには、未調理商品が積み重ね状態で収容され、かつ、最上面には錘による押圧力が付与されており、貯留ケースの下端に付設された送出装置によって、未調理商品が最下段のものから１個づつ送り出されるようにしたことにある。
【０００９】
また、貯留ケースの内面に、滑り抵抗材が貼付けられていて、貯留ケース内で水平に収容された未調理商品の、シール部の側の滑り落ちを抑制し、貯留ケース内の未調理商品が常に水平を保つようにしてもよい。更に、貯留ケースの底面に、送出コンベヤが設けられていて、最下段の未調理商品が送出コンベヤによって、水平方向に送られ、貯留ケースの下端側面の出口から送出されるようにしてもよい。
【発明の効果】
【００１０】
本発明の自動販売機では、レンジの出し入れ用の開口が、１箇所であるから、従来機のように、入口と出口とに別個に開口を設けたものに比べ、マイクロ波の漏洩箇所が少ないので、その漏洩を極力少なくできる。更に、レンジ扉の開閉方式は、スライド移行方式であり、かつ、ギヤと、ラックとの噛合によって開閉移動させるので、開閉作動が確実である他、閉扉時の密閉力を充分に確保できて、マイクロ波の漏洩を大幅に抑制できる。
【００１１】
請求項２のものでは、レンジ扉の背面にバネ圧が作用しているので、閉扉時のレンジ扉とレンジ開口との接触押圧力を常に一定に保持でき、マイクロ波の漏洩抑制を一層確実に達成できる。
【００１２】
請求項３のものでは、貯留装置から送出された未調理商品は、ベルトコンベヤによって搬送されるので、従来機のように全て自重で搬送する方式に比べて、送り込みを確実に行うことができる。
【００１３】
請求項４のものでは、ベルトコンベヤから送出された未調理商品は、その自重によって、案内板に沿って、レンジまで案内されるので、搬送機構が簡単で、確実な送り込みを達成できる。
【００１４】
請求項５のものでは、未調理商品の搬入案内時には、レンジ扉は、僅かに開いた状態に位置し、レンジ扉の内壁に設けた傾斜案内片で、未調理商品を誘導する方式であるから、案内機構が簡単で、かつ、正確な案内が可能である。
【００１５】
請求項６のものでは、レンジ内に排出枠体があって、その枠体は、枠だけからなり、かつ、壁面は逆円錐台状になっているので、レンジ内に送り込まれた未調理商品は、確実にレンジの中央に案内されるようになり、マイクロ波の照射を充分に受けることができて、常に正しく調理されようになる。その上、排出枠体が、枠支持体の回動によって、水平方向に移動して、レンジ外に出るので、この移動に伴って調理済商品もレンジ外に送出され、排出枠体の底面の空所から落下して取出し口に送られるようになり、調理済商品の送出作動を簡単な機構で、確実に行うことができる。
【００１６】
本発明の未調理商品貯留装置は、筒型の貯留ケースが直立状に、かつ、並べて設けられていて、この貯留ケースに多数の未調理商品が水平に積み重ねて収容されており、貯留ケースの下端に設けた送出装置で最下段の未調理商品から順次送出すことができるので、従来の貯留装置に比べて、容積効率を高めることができ、かつ、送出しを確実に行うことができる。
【００１７】
請求項８のものでは、貯留ケースの内面に、滑り抵抗材が貼付けられているので、未調理商品のシール部の側の滑り落ちが抑制され、貯留ケース内では未調理商品が常に水平を保持できるので、最下段のものからの送出しを確実に行うことができ、送出不良事故を招くことがない。
【００１８】
請求項９のものでは、貯留ケースの底面の送出コンベヤによって、未調理商品を送出すので、１個づつの送出しを、簡単な機構で達成可能である。
【発明を実施するための最良の形態】
【００１９】
本発明の自動販売機を実施するための最良の形態を、以下の図面の実施例に基づいて説明する。図１には、本発明の実施例であるポップコーン自動販売機１の概略が示されている。販売機１の上段部に貯留装置２が設けられていて、ここに未調理商品Ａが多数収容されて、貯留されている。貯留装置２の送出口は下端で、その下には搬送用ベルトコンベヤ３が設けられていて、貯留装置２から取出された未調理商品Ａは、全てこのコンベヤ３によって送られる。更に、この未調理商品Ａは、コンベヤ３の端から送り出され、案内板４に誘導されて、レンジ５内に送り込まれる。
【００２０】
レンジ５内に入った未調理商品Ａは、レンジ内の排出枠体７によって位置決めされると共に、排出枠体７内でマイクロ波の照射を受けて加熱され、調理済商品Ｂになる。この調理時には、加熱によって、コーンが膨張してはじけ、ポップコーンになるので、包装袋は膨らむ。このようにして調理が済むと、この商品Ｂは、排出枠体７によってレンジ５から排出されて、取出し部８に送られる。そして、顧客が、販売機１の壁面に設けられた取出し口９から調理済商品Ｂを取出すのである。
【００２１】
次に、前記本発明の構成を、更に詳細に説明する。先ず、未調理商品Ａは、コーンと調味料とを袋に密封封入したもので、未調理の状態では、コーンは膨張していないので、嵩は低くて、袋は折り畳まれ、扁平な状態である。この為、貯留や送り出しには都合がよい。貯留装置２では、このような未調理商品Ａが、積み重ね状態で収容されていて、指示があるごとに最下段のものから順次、一個づつ送り出される。なお、貯留装置を複数に区分けしておき、各区ごとに種類の異なった未調理素材Ａを収容しておいて、販売時に顧客が選択できるようにすることも可能である。
【００２２】
貯留装置２から送り出された未調理商品Ａは、１本のベルトコンベヤ３によって水平方向に搬送される。その後、コンベヤ３の端から自重によって自然落下し、案内板４によってレンジ５へと送られる。貯留装置２から取出された未調理商品Ａは、コンベヤ３で送る方式なので、従来機のような、エレベータで送る方式のものや、自重だけの自然落下で送る方式のものよりも、装置が簡素化でき、かつ、確実な搬送が可能である。なお、この搬送の際に、未調理商品Ａは裏返るので、レンジ５に入った時に、二つ折りされた未調理商品の、コーンの入った側が上方に来るように、貯留時には、未調理商品の表裏の向きに配慮する必要がある。
【００２３】
レンジ５には、マイクロ波の漏洩が無いように、次のような対策が採られている。先ず、レンジ５の出し入れ用の開口１１は１個で、レンジ扉６は、レンジ開口１１に遠近スライド方向に移動して開閉する。即ち、図２に示されるように、レンジ扉６は、扉支持体１２に、クッション用のバネ１３を介して取付けられている。また、扉支持体１２の両側には、スライドアーム１４が設けられていて、このアーム１４は、レンジ５の両側壁に設けられたスライドガイド１５に対して、水平方向に摺動自在に取付けられている。更に、この両アーム１４の上部には、ギヤ支持体１６が設けられていて、このギヤ支持体１６に取付けられたギヤ１７は、レンジ５の上面に設けられたラック１８に噛合っている。
【００２４】
以上の構成のため、ギヤ１７を駆動モータ１９で回転させると、ギヤ支持体１６、アーム１４、扉支持体１２、レンジ扉６は、一体となってスライド移行し、レンジ扉６は、レンジ開口１１に対して開閉作動させられる。このため、開閉作動は確実である。更に、レンジ扉６の閉扉時の、開口１１に対する押圧力は、バネ１３で調整されて一定の圧力になる。このように、本発明では、レンジ扉６が、スライド開閉方式であるので、従来機のヒンジ開閉方式に比べて、レンジ扉６を、一定の圧力でしっかりと開口１１に密着させることができ、マイクロ波の漏洩を極力防止できる。また、レンジ５の上面と、ギヤ支持体１６との間には、位置検知センサ２０が取付けられていて、レンジ扉６の位置を常に検知できるので、レンジ扉６の開閉作動を正確に行うことができる。
【００２５】
更に、販売機１には、未調理商品Ａを、レンジ５内のマイクロ波照射位置に確実に誘導案内するための構成が採られている。まず、レンジ扉６は、扉が僅かに開いた状態の搬入案内位置で停止させうるようになっている。更に、レンジ扉６の内側壁面には、傾斜案内片２１が取付けられていて、上方から落下してきた未調理商品Ａを、レンジ５の内方へ、かつ、排出枠体７の中へと誘導案内する。なお、案内片２１は二股状の形状で、中央部が空所２２になっているので、ゴミなどの異物が落下してきた時は、この空所２２を通って下方へと落下し、レンジ５内に入り込むのを防止できる。また、レンジ５内に設けられている排出枠体７は、平面形状が円形の枠だけからなり、かつ、この枠の側壁は、上端部の径が下端部の径よりも大きくて、逆円錐台状に傾斜が付いている。従って、レンジ５内に投入された未調理商品Ａは、排出枠体７の内側に入ると共に、枠体の傾斜に案内されて、確実にレンジ５の中央部に誘導案内されるようになる。この為、庫内に設けられたマイクロ波発信装置２３からのマイクロ波を確実に受けて、加熱調理されようになる。更に、庫内底部のターンテーブル２４には、摩擦用の溝２５が設けられていて、マイクロ波の照射時には、未調理商品Ａに回転が加えられるので、マイクロ波を受ける量が常に均一になり、安定した調理を行うことができる。
【００２６】
未調理商品Ａが、レンジ５内でマイクロ波を受けると、袋内のコーンは、加熱されて膨張し、はじけて、ポップコーンになり、一気に嵩高になって、袋は膨れる。このようにして、調理が完了した調理済商品Ｂは、排出枠体７によって、レンジ５から送り出される。図３のように、排出枠体７には、外壁に枠支持体２６が付いていて、軸２７によって、レンジ５の底面上に回動自在に設けられていて、駆動モータ２８によって自由に水平方向に回動させることができる。従って、商品Ｂが完成すると、モータ２８を駆動させて、排出枠体７を図の１点鎖線のように回動移行させ、排出枠体７をレンジ５外に移動させる。この排出枠体７の移動に伴って、商品Ｂも一緒に移動して、レンジ５の外に出る。排出枠体７は枠のみで、底面はなく、空所２９になっているので、枠体７がレンジ５外に出ると、商品Ｂは、この空所２９を通って自然落下し、取出し部８に送られる。そして、顧客は、販売機１の壁面の取出し口９から、自由に調理済商品Ｂを取出すのである。
【００２７】
次に、前記本発明の未調理商品の貯留装置２の構成を、更に詳細に説明する。先ず、未調理商品Ａは、図４に示されるように、コーンと調味料とが包装袋３１に密封封入されている。包装袋３１の素材は、樹脂コーティングされた紙製で、元の形状はチューブ状である。このチューブ状の包装袋３１の中にコーンと調味料とを入れて、両端を融着シール３２して、完全密封状に封入されている。未調理の状態では、コーンは膨張していないので、嵩は低くいが、加熱調理されると、大きく膨張してはじけるので、これに耐えるように、包装袋３１の両側縁は、内側に折込み３３を形成し、かつ、包装袋３１は、中央の折返し部３７で２つに折返して、片側にのみにコーンを入れている。従って、コーンが膨張した時には、折込み部３３や折返し部３７が伸びて、袋が大きく膨らむので、容量的に充分な大きさの袋になる。なお、包装袋３１には、一方端に挿込み舌片３４が設けられ、他方端にスリット状切込み３５が設けられていて、舌片３４を切込み３５に挿入することによって、折り畳み状態での形状保持ができる。３６は、指掛け孔で、包装袋の開封時に、ここに指を掛けることによって、融着シール３２された包装袋を簡単に開くことができる。
【００２８】
以上のような構成の未調理商品Ａは、貯留装置２に積み重ね状態で収容される。このため、上手く積み重なるように、コーン封入後の厚さが全面で均一になるように調整されている。しかし、包装袋３１には、折り畳んだ状態で、片側にコーンが入っていないシール部３２が存在するため、この部分の厚みが、コーンの入った部分に比べて必然的に薄くなり、包装袋３１を多数積み重ねると、図５のように、このシール部３２の方が下がって、積重ねるにつれて徐々に包装袋３１の姿勢が傾き、ついには、貯留装置２から、上手く未調理商品Ａを送り出せなくなる。このため、貯留装置２には、次のような対策が採られている。
【００２９】
貯留装置２には、直立状に配した貯留ケース４０が、複数並べて設けられ、かつ、各貯留ケース４０の下端には、送出装置４１が取付けられている。各貯留ケース４０は細長い筒型で、その内部には、図６のように多数の未調理商品Ａが、水平に積み重ねた状態で収容されている。貯留ケース４０のケース壁面４２の内面の内、未調理商品Ａのシール部３２が来る面には、滑り抵抗材４３が、上下方向の全長に亘って張付けられている。この滑り抵抗材４３は、未調理商品Ａを滑り落ちにくくするためのもので、起毛面、植毛面、凹凸面などを有するものである。実施例では、面ファスナ（商品名  マジックファスナ）の片側が用いられている。従って、この滑り抵抗材４３によって、未調理商品Ａのシール部３２の側の滑り落ちが抑制され、ケース内に収容された未調理商品Ａは水平状態を保持するようになる。
【００３０】
４４は錘で、積み重ねられた未調理商品Ａの上面から押圧力を加える。この押圧力を加える位置は、シール部３２の側でない、コーンの入った箇所を上方から押圧するのが良いので、実施例では、図示のように、錘の平面方向の大きさを、ケース内面寸法の半分程度とし、滑り抵抗材４３の設けられていない側に位置させてある。また、常時、未調理商品Ａの上面に押圧力を加えるため、錘４４は、ケース壁面４２に対して上下方向に摺動自在に取付けられている。即ち、ケース壁面４２に上下方向に細いスリット孔４５を設け、この孔にビス４６で錘４４を取付けている。これにより錘４４の上下動は自在である。更に、錘４４を滑り易くするため、ケース壁面４２のこの面に滑面材４７が取付けられている。この滑面材４７には、実施例では、滑面プラスチックテープ（商品名  テフロン(登録商標)製テープ）が用いられている。これにより、錘４４の上下動は、スムーズであり、未調理商品を水平を保持したままで、ケースの上から下まで移動させることができる。
【００３１】
貯留ケース４０の下端には、送出装置４１が設けられていて、最下段の未調理商品Ａが、ケース壁面４２の下端の出口４８から、１個づつ送出される。このため、ケース底面５０には、滑りを良くするための滑面材４７が貼り付けられている。また、ケース底面５０には、送出コンベヤ４９が設けられていて、モータ５１で駆動ローラ５２を回転させ、コンベヤベルト５３を循環移動させて、最下段の未調理商品Ａに送出力を付与する。また、ベルト５３の表面に押送用突片を設けて、この未調理商品の送出しを強制的に行わせることも可能である。このようにして、各貯留ケース４０から送出された未調理商品Ａは、１本のコンベヤ３によって、次へと搬送される。
【００３２】
本発明は、前記の実施例に限定されるものではなく、特許請求の範囲の記載の範囲内で自由に変形実施可能である。特に、レンジ扉の支持方式や、排出枠体の詳細な形状、更に排出作動方式などは、実施例のものに限定されず、自由に採択可能である。
【図面の簡単な説明】
【００３３】
【図１】本発明の実施例のポップコーン自動販売機の概略図。
【図２】レンジ部の上面概略図。
【図３】レンジ部の内面概略図。
【図４】未調理商品の斜視図。
【図５】未調理商品を、単に積み重ねた時の側面図。
【図６】貯留ケースの断面図。
【符号の説明】
【００３４】
Ａ        未調理商品
Ｂ        調理済商品
１        ポップコーン自動販売機
２        貯留ケース
３        ベルトコンベヤ
４        案内板
５        レンジ
６        レンジ扉
７        排出枠体
８        取出し部
９        取出し口
１１      レンジ開口
１２      扉支持体
１３      バネ
１４      スライドアーム
１５      スライドガイド
１６      ギヤ支持体
１７      ギヤ
１８      ラック
１９      駆動モータ
２１      案内片
２３      マイクロ波発振装置
２６      枠支持体
２７      回動軸
２８      駆動モータ
３１      包装袋
３２      シール部
４０      貯留ケース
４１      送出装置
４２      ケース壁面
４３      滑り抵抗材
４４      錘
４７      滑面材
４８      出口
４９      送出コンベヤ
【図１】
2010244154.tif 000003
【図２】
2010244154.tif 000004
【図３】
2010244154.tif 000005
【図４】
2010244154.tif 000006
【図５】
2010244154.tif 000007
【図６】
2010244154.tif 000008